(57)【特許請求の範囲】
【請求項１】
識別コードを含む認証待ち物品と、データベースを含む認証端末と、を備える認証システムであって、
前記識別コードは、使い捨てで除去できるかつ不透明な遮蔽層が被覆され、また前記遮蔽層上には、前記識別コードに対応する物品タグが設けられ、
前記データベースには、前記識別コードに対応する物品情報が格納され、
前記遮蔽層は、透明膜と銀漆層によって構成され、
そのうち、使用者が前記遮蔽層の銀漆層を除去して前記識別コードを露出させた後に、使用者が電子装置を用いて前記識別コードを読み取り、かつ前記電子装置は、前記識別コードに基づいて前記認証端末に接続され、前記認証端末は、前記識別コードに基づいて前記物品情報と対比させることにより、認証情報を生成するとともに、前記認証情報を前記電子装置へ伝送することを特徴とする、認証システム。
【請求項２】
前記識別コードと前記物品情報とがマッチする場合、前記認証端末はさらにペアリング済みメッセージを前記物品情報に格納し、前記識別コードが再度読み取られた時、前記認証端末は、前記ペアリング済みメッセージを含む前記認証情報を生成するとともに、前記認証情報を前記電子装置へ伝送することを特徴とする、請求項１に記載の認証システム。
【請求項３】
前記識別コードは、暗号化情報とネットワークアドレスとを含み、前記電子装置は、前記識別コードに基づいて前記ネットワークアドレスを識別することにより、前記ネットワークアドレスに基づいて前記認証端末に接続し、前記認証端末は、前記暗号化情報に基づいて前記認証待ち物品に対して対比を行うかどうかを判定し、対比を行うと判定した場合、前記認証端末は、前記識別コードに基づいて前記物品情報と対比させて前記認証情報を生成し、対比を行わないと判定した場合、前記認証端末は、直接に前記認証情報を生成することを特徴とする、請求項１に記載の認証システム。
【請求項４】
前記認証情報は、レポートリンクを含み、前記電子装置が前記認証情報を受信した後に、前記電子装置は、前記レポートリンクに基づいてレポート情報を前記認証端末に選択的に伝送することを特徴とする、請求項１に記載の認証システム。
【請求項５】
前記認証待ち物品は、さらに包装ユニットを含み、前記包装ユニットは、前記認証待ち物品の本体を被覆していて、前記識別コードは、前記包装ユニットの外表面または前記認証待ち物品の本体上に設けられることを特徴とする、請求項１に記載の認証システム。
【請求項６】
識別コードを設け、及び前記識別コードを被覆するように、前記識別コードに対応する物品タグの使い捨てで除去できるかつ透明膜と銀漆層によって構成された不透明な遮蔽層を認証待ち物品上に設ける工程と、
前記識別コードに対応する物品情報が格納されたデータベースを含む認証端末を提供する工程と、
前記認証待ち物品上の前記遮蔽層の銀漆層を除去して前記識別コードを露出させる工程と、
電子装置を介して前記識別コードを読み取り、前記電子装置は、前記識別コードに基づいて前記認証端末に接続される工程と、
前記認証端末を用いて前記識別コードに基づいて前記物品情報と対比させることにより、認証情報を生成する工程と、
前記認証端末を介して前記認証情報を前記電子装置へ伝送する工程と、を含むことを特徴とする、認証方法。
【請求項７】
前記認証端末を用いて前記識別コードと前記物品情報とがマッチするかどうかを判定し、マッチすると判定される場合、前記認証端末は、ペアリング済みメッセージを前記物品情報に格納する工程、
前記識別コードが再度読み取られた時、前記認証端末を用いて前記ペアリング済みメッセージを含む前記認証情報を生成する工程、及び
前記認証端末を介して前記認証情報を前記電子装置へ伝送する工程をさらに含むことを特徴とする、請求項６に記載の認証方法。
【請求項８】
前記識別コードは、ネットワークアドレスと暗号化情報とを含み、
前記方法は、
前記電子装置を介して前記識別コードに基づいて前記ネットワークアドレスを識別することにより、前記ネットワークアドレスに基づいて前記認証端末に接続する工程、及び
前記認証端末を介して前記暗号化情報に基づいて前記認証待ち物品に対して対比を行うかどうかを判定し、対比を行うと判定した場合、前記認証端末は、前記識別コードに基づいて前記物品情報と対比させて前記認証情報を生成し、対比を行わないと判定した場合、前記認証端末は、直接に前記認証情報を生成する工程をさらに含むことを特徴とする、請求項６に記載の認証方法。
【請求項９】
前記認証情報は、レポートリンクを含み、
前記方法は、
前記電子装置が前記認証情報を受信した後に、前記電子装置は、前記レポートリンクに基づいてレポート情報を前記認証端末に選択的に伝送する工程をさらに含むことを特徴とする、請求項６に記載の認証方法。
【請求項１０】
前記認証待ち物品は、さらに包装ユニットを含み、
前記方法は、
前記識別コードを前記包装ユニットの外表面または前記認証待ち物品の本体上に設ける工程、及び
前記包装ユニットを前記認証待ち物品の本体を被覆する工程をさらに含むことを特徴とする、請求項６に記載の認証方法。
【発明の詳細な説明】
【技術分野】
【０００１】
本発明は、認証システム及びその認証方法に関し、特に、対象物上に認証タグが設けられ、電子装置は、認証タグに対して認証を行うことにより、該対象物の真偽（真贋）を確認する認証システム及びその認証方法に関するものである。
【背景技術】
【０００２】
科学技術の進歩と発展に連れて、商品を製作する工業技術も発展しており、様々な商品模倣技術の進歩も益々向上している。そのため、悪徳業者によってそれらの模倣技術で製造された模倣品が市場に出回ってしまうという問題を生じ、消費者が商品を購入する時、物品の真偽を識別することが段々困難になっている。それ故に、生産者は、消費者の購入商品が模倣品であるかどうかを識別できるように、偽造防止識別メカニズムを絶えず増やし続けるのとともに、生産コストも増加する。
【０００３】
また、原物品の開発者は、長年に亘って鋭意研究を重ねた結果、この成果を悪徳業者に奪われるため、一部の原物品の開発者は、新たな物品を開発するのを次第にあきらめてしまい、このような状況は、現在各産業の発展に影響を与えるに違いない。さらに、悪徳企業が劣質原料を使用して偽造食品を製造する場合、消費者の身体に即時性の危険を及ぼす可能性がある。例えば、偽造酒による事件が頻繁に見かけられる。このような場合、悪質企業が食用不可の工業用アルコールを用いて偽造酒を製造し、それから消費者に販売すれば、消費者が偽造酒を誤って飲んでしまい、アルコール中毒で病院に送られ、時には死亡に至ることもある。このような案件が多く見られて、そのすべてを列挙することはできない。
【０００４】
そのため、一部の製造業者は、偽造防止技術に着目し、特許文献１（台湾実用新案登録第Ｍ４２３８７９号明細書）に開示された「バーコードを用いた商品の偽造防止認証システム」によれば、商品のシリアル番号を、文字またはバーコードの形式で、商品の包装またはタグ上に印刷する。そしてインターネット接続機能を有する電子製品が偽造防止認証プログラムを実行し、インターネットを経由して認証端末プログラムモジュールに接続する。これにより、認証シリアル番号が受信される。また、データベースの中心モジュールに接続して、認証や返答報告の受信等の作業を行う。
【先行技術文献】
【特許文献】
【０００５】
【特許文献１】台湾実用新案登録第Ｍ４２３８７９号明細書
【発明の概要】
【発明が解決しようとする課題】
【０００６】
上記説明によれば、従来技術は、いまだに多数の欠点が存在する。例えば、従来技術では、文字またはバーコードの形式で提示する商品のシリアル番号を商品の外部または外表面上に設けるように構成される。この場合、利害関係者や愉快犯の故意によって認証操作を行えるようにしたので、かえって、真正な購入者または使用者が認証を行う時、エラーメッセージが得られてしまうことがあった。また、供給業者または認証端末が提供されたプログラムを使用しなければ、認証を行うことができず、この方式は、購入者または使用者にとって実に迷惑になるので極めて不便である。一方、偽造者が商品のシリアル番号をそのまま真似てしまえば、この時、認証端末は、それらを逐次対比または逐次認証する必要があることは、認証端末に負担をかけることになる。
【０００７】
しかしながら、利害関係者や愉快犯の故意によって認証操作が行われ、真正な購入者または使用者が認証を行う時、エラーメッセージが得られてしまうのを防止するため、一部の企業では、認証識別コードを商品の包装箱の内側または商品の内部に設けるようにする。例えば、企業は、識別コードを酒瓶または飲料瓶のキャップの内側に設けるか、または識別コードを商品の包装箱の内側に印刷することができる。この方式によれば、他の人が商品を購入する前に、すでに電子装置を用いて識別コードを読み取り、それで認証が済むのを防止することができるが、このような認証は、商品を開封するか、または商品の包装を剥がすかをして、初めて識別コードを取得するようになるため、実に不便である。
【０００８】
上記の問題点を概観し、本発明の発明者より、認証システム及びその認証方法を熟考して設計することにより、従来技術の欠点を改善するとともに、産業上の実施利用の促進を図ることを目指している。
【課題を解決するための手段】
【０００９】
本発明は、上記のような従来技術の問題点に鑑みてなされたもので、その目的は、従来技術における物品の真偽を判別し難いという問題を解決できる、認証システム及びその方法を提供することにある。
【００１０】
本発明は、認証待ち物品と認証端末とを備える認証システムを提案することを目的とする。本発明の目的によれば、認証待ち物品は、識別コードを含み、かつ識別コードは、使い捨てで除去できるかつ不透明な遮蔽層が被覆され、また遮蔽層上には、識別コードに対応する物品タグが設けられる。認証端末は、データベースを含み、このデータベースには、識別コードに対応する物品情報が格納される。遮蔽層は、透明膜と銀漆層によって構成され、使用者が遮蔽層の銀漆層を除去して識別コードを露出させた後に、使用者が電子装置を用いて識別コードを読み取り、かつ電子装置は、識別コードに基づいて認証端末に接続され、認証端末は、識別コードに基づいて物品情報と対比させることにより、認証情報を生成するとともに、認証情報を電子装置へ伝送する。
【００１１】
好ましいのは、識別コードと物品情報とがマッチする場合、認証端末はさらにペアリング済みメッセージを物品情報に格納し、識別コードが再度読み取られた時、認証端末は、ペアリング済みメッセージを含む認証情報を生成するとともに、認証情報を電子装置へ伝送する。
【００１２】
好ましいのは、識別コードは、暗号化情報とネットワークアドレスとを含み、電子装置は、識別コードに基づいてネットワークアドレスを識別することにより、ネットワークアドレスに基づいて認証端末に接続し、認証端末は、暗号化情報に基づいて認証待ち物品に対して対比を行うかどうかを判定する。なお、対比を行うと判定した場合、認証端末は、識別コードに基づいて物品情報と対比させて認証情報を生成する。また、対比を行わないと判定した場合、認証端末は、直接に認証情報を生成する。
【００１３】
好ましいのは、認証情報は、レポートリンクを含み、電子装置が認証情報を受信した後に、電子装置は、レポートリンクに基づいてレポート情報を認証端末に選択的に伝送する。
【００１４】
好ましいのは、認証待ち物品は、さらに包装ユニットを含み、包装ユニットは、認証待ち物品の本体を被覆していて、識別コードは、包装ユニットの外表面または認証待ち物品の本体上に設けられる。
【００１５】
本発明の目的により、更に認証方法を提案する。この認証方法は、識別コードを設け、及び識別コードを被覆するように、識別コードに対応する物品タグの使い捨てで除去できるかつ透明膜と銀漆層によって構成された不透明な遮蔽層を認証待ち物品上に設ける工程と、識別コードに対応する物品情報が格納されたデータベースを含む認証端末を提供する工程と、認証待ち物品上の遮蔽層の銀漆層を除去して識別コードを露出させる工程と、電子装置を介して識別コードを読み取り、電子装置は、識別コードに基づいて認証端末に接続される工程と、認証端末を用いて識別コードに基づいて物品情報と対比させることにより、認証情報を生成する工程と、認証端末を介して認証情報を電子装置へ伝送する工程とを含む。
【００１６】
好ましいのは、認証方法は、さらに下記工程を含む。認証端末を用いて識別コードと物品情報とがマッチするかどうかを判定し、マッチすると判定される場合、認証端末は、ペアリング済みメッセージを物品情報に格納する工程、識別コードが再度読み取られた時、認証端末を用いてペアリング済みメッセージを含む認証情報を生成する工程、及び認証端末を介して認証情報を電子装置へ伝送する工程。
【００１７】
好ましいのは、識別コードは、ネットワークアドレスと暗号化情報とを含み、認証方法は、さらに下記工程を含む。電子装置を介して識別コードに基づいてネットワークアドレスを識別することにより、ネットワークアドレスに基づいて認証端末に接続する工程、及び認証端末を介して暗号化情報に基づいて認証待ち物品に対して対比を行うかどうかを判定し、対比を行うと判定した場合、認証端末は、識別コードに基づいて物品情報と対比させて認証情報を生成し、対比を行わないと判定した場合、認証端末は、直接に認証情報を生成する工程。
【００１８】
好ましいのは、認証情報は、レポートリンクを含み、認証方法は、さらに下記工程を含む。電子装置が認証情報を受信した後に、電子装置は、レポートリンクに基づいてレポート情報を認証端末に選択的に伝送する工程。
【００１９】
好ましいのは、各認証待ち物品は、さらに包装ユニットを含み、認証方法は、さらに下記工程を含む。識別コードを包装ユニットの外表面または認証待ち物品の本体上に設ける工程、及び包装ユニットを認証待ち物品の本体を被覆する工程。
【発明の効果】
【００２０】
上記説明したとおり、本発明に係る認証システム及びその認証方法は、以下に示す１つまたは複数の長所を有する。
【００２１】
（１）この認証システム及びその認証方法は、物品上に識別コードを設けるとともに、使い捨てで除去できるかつ不透明な遮蔽層を識別コード上に設ける。これにより、使用者に物品を開封することなく識別コードを取得するように提供することができる。また、遮蔽層が除去したかどうかによって、識別コードの使用有無を初歩的に判断し、これにより、識別コードに対して簡単に悪意をもって認証を行う状況を減少することが可能となる。
【００２２】
（２）この認証システム及びその認証方法は、識別コードを読み取ることにより、認証情報を取得する。こうすれば、使用者は、物品の真偽（真贋）の確認を行うことが可能となり、利便性を高めることができる。
【００２３】
（３）この認証システム及びその認証方法は、識別コードが暗号化情報を具備する方式により、認証端末の負荷を効果的に軽減することができる。
【００２４】
（４）この認証システム及びその認証方法は、現在汎用されている識別プログラムを使用すれば、認証を行うことができるので、認証の利便性を効果的に高めることが可能となる。
【図面の簡単な説明】
【００２５】
【図１】本発明の認証システムの第１の実施例を示すブロック図である。
【図２】本発明の認証システムの第２の実施例について示す第１の概略図である。
【図３】本発明の認証システムの第２の実施例について示す第２の概略図である。
【図４】本発明の認証システムの第２の実施例について示す第３の概略図である。
【図５】本発明の認証システムの第２の実施例について示す第４の概略図である。
【図６】本発明の認証システムの第３の実施例を示すブロック図である。
【図７】本発明の認証システムの第３の実施例について示す第１の概略図である。
【図８】本発明の認証システムの第３の実施例について示す第２の概略図である。
【図９】本発明の認証方法を示すフローチャートである。
【発明を実施するための形態】
【００２６】
本発明をより完全に理解するために、本発明の発明特徴、内容と長所及びそれが達成できる作用効果については、添付図面を参照して、実施例の表現形式で以下のように詳細に説明される。なお、図示された図面は、単に例示または明細書内容を補助する目的としたものであって、本発明の実施後の原寸に比例したものや精確に配置したものには何ら拘束されない。よって、図示された図面は、添付図面の比例と配置関係で解釈されてはならず、本発明を実際に実施する権利範囲に制限することを意図したものではないことについて先に説明しておきたい。
【００２７】
以下、添付図面を参照しながら、本発明の認証システム及びその認証方法の実施例について説明する。なお、より理解しやすくするために、下記実施例の説明では、同一の部品には同一の符号が付されている。
＜第１の実施例＞
【００２８】
図１は、本発明の認証システムの第１の実施例を示すブロック図である。図１を参照し、本発明の認証システム１は、認証待ち物品１１と、認証端末１２と、を備える。そのうち、認証待ち物品１１上に識別コード１３を具備し、識別コード１３は、識別コード生成器により生成できるとともに、認証待ち物品１１上に設けられる。また、識別コード１３上には、使い捨てで除去できるかつ不透明な遮蔽層１４が被覆され、遮蔽層１４上には、該識別コード１３に対応する物品タグ１４１が設けられる。認証端末１２は、データベース１２１を含み、このデータベース１２１には、物品情報１２１１が格納され、それが識別コード１３に対応している。つまり、識別コード１３が物品情報１２１１とマッチすることを意味する。
【００２９】
ここで、特に注意すべきことは、遮蔽層１４は、透明膜と銀漆層からなってもよい。この場合、まず、透明層を識別コード１３上に被覆し、次に、銀漆層を透明層上に被覆することにより、使用者が銀漆層を刮げ取ると同時に、識別コード１３も刮げ取られるのを防止することができる。使用者が電子装置２を用いて認証待ち物品１１上の識別コード１３を読み取る前に、使用者は、予め識別コード１３上に被覆された銀漆層を刮げ取る必要があり、これによって識別コード１３を露出させることができる。また、遮蔽層１４は、不透明な粘着ゲル層であってもよい。この場合、粘着ゲル層を識別コード１３上に貼り付けることにより、識別コード１３を遮蔽することができる。使用者が電子装置２を用いて認証待ち物品１１上の識別コード１３を読み取る前に、予め識別コード１３上に被覆された粘着ゲル層を剥がす必要があり、これによって識別コード１３を露出させることができる。さらに、遮蔽層１４は、識別コード１３と一体成形されたタグまたはステッカーであってもよい。この場合、遮蔽層１４の片側または互いに相対する両側を識別コード１３の表面に固定しなくてもよく、これにより、使用者がそれらの側から遮蔽層１４を剥がし取ることが容易にできるようになる。一方、その他の側辺を識別コード１３の表面に固定し、固定した側辺は、粘着性の材質で貼り付けて固定するか、または点線状に形成される剥がし線で固定することができる。
【００３０】
また、遮蔽層１４上に設けられた物品タグ１４１は、商品バーコード、商品名称または映像等であってもよいが、本発明はこれらに制限されるものではない。この物品タグ１４１は、貼付方式または印刷方式で遮蔽層１４上に設けられる。付言すると、遮蔽層１４と識別コード１３を、単体式のタグまたはステッカーとして設計してもよい。製造業者が商品の製造過程中に識別コード１３を商品上に増設しようとする場合には、識別コード１３を貼り付けるための機器設備を追加的に購入する必要がない。この識別コード１３を貼り付けるには、物品タグ１４１が設けられた遮蔽層１４を貼り付けるための本来の機器設備を使用すればよく、そして遮蔽層１４と同時に認証待ち物品１１上に貼り付ける。また、同一の機器で遮蔽層１４と識別コード１３を同時に認証待ち物品１１上に貼り付ける場合には、遮蔽層１４上の物品タグ１４１が識別コード１３とマッチしない問題の発生を回避できる。
【００３１】
上述のとおり、電子装置２は、識別コード１３から提供された内容に基づいて認証端末１２に接続されるとともに、識別コード１３を認証端末１２へ伝送する。この場合、認証端末１２は、伝送される識別コード１３と物品情報１２１１が合致するかどうかの対比を行うことにより、認証情報１２２を生成して、それを使用者に提供するために電子装置２へ伝送する。こうすれば、使用者は、認証情報１２２に基づいて認証待ち物品１１の真偽を判断することができる。
＜第２の実施例＞
【００３２】
図２〜図５は、それぞれ本発明の認証システムの第２の実施例について示す第１の概略図〜第４の概略図である。これらの図に示すように、本実施例において、認証待ち物品１１の例示的な態様を酒瓶で示している。供給業者が識別コード１３を認証待ち物品１１の外側に設け、即ち酒瓶の外側のステッカータグ上に設け、かつ、識別コード１３の上面に使い捨てで除去できるかつ不透明な遮蔽層１４が覆設される。使用者が実体商店またはネットショップで認証待ち物品１１を購入した後に、遮蔽層１４を刮げ取るまたは剥がし取ることができる。その後、電子装置２を用いて識別コード１３を読み取ることにより、認証待ち物品１１が供給業者から出荷された本物であるかどうかをわかるようにすることができる。そのうち、電子装置２は、スマートフォン、パーソナルディジタルアシスタント、タブレットパソコンやノートパソコン等のポータブルな電子装置であってもよい。識別コード１３は、エンコード可能な文字、符号、映像、バーコード、無線ラジオ周波識別コードのうちの１つまたはそれらの組み合わせであってもよく、例えば、２次元識別コード（ＱＲ  ＣＯＤＥ）であってもよい。ただし、本発明はこれらに制限されるものではない。
【００３３】
ここで、特筆すべきことは、遮蔽層１４は、透明膜と銀漆層からなってもよい。この場合、例えば、図４に示すように、一般的な市販のスクラッチ式宝くじの薄膜のように、まず、透明層を識別コード１３上に被覆し、次に、銀漆層を透明層上に被覆するように構成される。また、図３に示すように、遮蔽層１４は、例えば、ステッカーのような不透明な粘着ゲル層であってもよい。この場合、粘着ゲル層を識別コード１３上に貼り付けることにより、識別コード１３を遮蔽することができる。
【００３４】
また、識別コード１３は、識別コード生成器により生成できるとともに、識別コード１３と遮蔽層１４は、貼付方式または印刷方式で酒瓶上に設けられる。それから、識別コード１３と遮蔽層１４が設けられた酒瓶（認証待ち物品１１）を実体商店またはネットショップに出荷される。一方、供給業者は、識別コード１３にそれぞれ対応する物品情報１２１１を認証端末１２のデータベース１２１内に格納する。本実施例において、識別コード１３の例示的な態様を２次元識別コード（ＱＲ  ＣＯＤＥ）で示している。付言すると、供給業者と認証端末１２は、同一の単位または相互協力協定の２組の単位であってもよいが、本発明はこれらに制限されるものではない。
【００３５】
使用者が電子装置２を用いて識別コード１３に対して読取または識別を行う場合、電子装置２は、識別コード１３内に提供されたネットワークアドレスに基づいて認証端末１２に接続されるとともに、識別コード１３を認証端末１２へ伝送する。ここで、注意すべきことは、電子装置２は、直接にそのカメラモジュールをサードパーティーの識別プログラム（例えば、現在通用のＱＲ  ＣＯＤＥ識別プログラム）と合わせれば、識別コード１３に対して読取または識別を行うことができるため、必ずしも供給業者または認証端末１２から提供された認証プログラムで読取または識別を行う必要はない。ただし、このような方式で行うことも可能である。この電子装置２において、識別コード１３を如何にして識別するまたは読み取るための技術については、当該分野における通常の知識を有する者であれば熟知しているはずであるため、ここではそれらの内容に関する説明は省略する。
【００３６】
続いて、認証端末１２は、識別コード１３に基づいて物品情報１２１１と対比を行った後に、認証情報１２２を生成するとともに、この認証情報１２２を電子装置２へ伝送する。これにより、使用者は、購入物品が供給業者から提供された本物であるかどうかをわかるようにすることができる。付言すると、認証情報１２２は、認証待ち物品１１に関連のデータを含んでもよい。これらのデータとしては、使用者の参考のために、例えば、製造日、使用期限日、使用方法、産地、成分等が挙げられる。ただし、これらに限定されるものではない。認証情報１２２は、さらに例えば、電話番号、メールアドレス、電子メールアドレスや供給業者または認証端末１２から提供されたホームページ或いは認証プログラム等のようなレポートリンクを含んでもよい。こうすれば、使用者は、直接に適宜なレポートリンクを選択するとともに、関連のインターフェースに接続されて、レポートすることができる。もし認証情報１２２から提供されたデータにより、認証待ち物品１１が供給業者から提供された本物ではないということが表示された場合、使用者は、表示された結果を示すレポート情報に返答することにより、認証端末１２に関連のデータ（例えば、購入店舗等）が通知される。こうして、認証端末１２は、その後続を追跡調査することが可能となる。
【００３７】
ここで、特筆すべきことは、識別コード１３は、暗号化情報を含んでもよい。電子装置２が認証端末１２に接続される場合、認証端末１２は、この暗号化情報により、この識別コード１３が認証端末１２または本来の供給業者から由来するかどうかを迅速かつ簡便に優先確認することができる。否と確認されると、認証端末１２は、直接に認証情報１２２を生成する。一方、是と確認されると、認証端末１２は、後続の対比操作を続いて行う。そのうち、この暗号化情報は、不可視光のみを反射するインクで識別コード１３上に印刷されてもよい。ただし、本発明はこれらに制限されるものではない。
＜第３の実施例＞
【００３８】
図６〜図８は、それぞれ本発明の認証システムの第３の実施例を示すブロック図、第１の概略図及び第２の概略図である。図６〜図８を併せて参照し、本実施例において、各部品の連結関係と配置等は、上記と類似するため、ここでの説明は省略する。
【００３９】
この実施例において、認証待ち物品１１は、包装ユニット１１１と、認証待ち物品の本体１１２と、を含む。包装ユニット１１１は、認証待ち物品の本体１１２を被覆するように配置され、供給業者または認証端末１２より、識別コード１３を包装ユニット１１１の外表面に設けるとともに、遮蔽層１４を識別コード１３上に被覆する。
【００４０】
使用者が遮蔽層１４を刮げ取るまたは剥がし取ることにより、識別コード１３を露出させた後に、電子装置２を用いて該識別コード１３を読み取るまたは識別することができるとともに、この識別コード１３に基づいて認証端末１２に接続することができる。識別コード１３を認証端末１２を介して対比させることにより、識別コード１３が物品情報１２１１に符合することがわかると、認証端末１２は、直ちに、ペアリング済みメッセージ１２１２を生成するとともに、それを符合する物品情報１２１１内に格納する。上記の読み取られた識別コード１３が、再度読み取られた時、この際の認証端末１２は、物品情報１２１１内のペアリング済みメッセージ１２１２に基づいて、ペアリング済みメッセージ１２１２を含む認証情報１２２を生成するとともに、それを使用者に提供するために電子装置２へ伝送する。言い換えれば、使用者が認証待ち物品１１を購入するとともに、その包装ユニット１１１の外表面または認証待ち物品の本体１１２上の遮蔽層１４を刮げ取ったり、剥がし取ったりして、それから電子装置２を用いて識別コード１３を読み取った後に、電子装置２にフィードバックした認証情報１２２内にペアリング済みメッセージ１２１２が表示されると、使用者が購入した該認証待ち物品１１が模倣品であることを表示する。即ち、該識別コード１３は、供給業者が正規商品からコピーされた識別コード１３であることを意味する。
【００４１】
図９は、本発明の認証方法を示すフローチャートである。図９に示すように、本発明の認証方法は、認証システムに適用される。この認証方法は、下記工程を含む。
【００４２】
（Ｓ１１）識別コードを設け、及び該識別コードを被覆するように、該識別コードに対応する物品タグの使い捨てで除去できるかつ不透明な遮蔽層を認証待ち物品上に設ける工程。
【００４３】
（Ｓ１２）該識別コードに対応する物品情報が格納されたデータベースを含む認証端末を提供する工程。
【００４４】
（Ｓ１３）該認証待ち物品上の該遮蔽層を除去して該識別コードを露出させる工程。
【００４５】
（Ｓ１４）電子装置を介して該識別コードを読み取り、該電子装置は、該識別コードに基づいて該認証端末に接続される工程。
【００４６】
（Ｓ１５）該認証端末を用いて該識別コードに基づいて該物品情報と対比させることにより、認証情報を生成する工程。
【００４７】
（Ｓ１６）該認証端末を介して該認証情報を該電子装置へ伝送する工程。
【００４８】
本発明の認証方法の詳細な説明及び実施方式については、すでに前記の本発明の認証システムを説明する時に記述した。ここでは説明の便宜上、重複記載は省略する。付言すると、上記の認証システムにおいて、使用者が電子装置を用いて識別コードを読み取ることは、あくまでも本認証方法の使用端末を説明するための１つの例示的な態様である。
【産業上の利用可能性】
【００４９】
上記を総合すると、本発明の認証システム及びその方法は、識別コードを包装ユニットの外表面または認証待ち物品の本体上に設けるとともに、使い捨てで除去できるかつ不透明な遮蔽層を識別コード上に被覆するように設ける。この遮蔽層の使い捨てで除去できる特性を利用して、他人が該遮蔽層で被覆された識別コードをコピーした後に、再びその遮蔽層を識別コード上に覆い戻すのを防止することができる。したがって、使用者が商品を購入した後に、電子装置を用いてこの識別コードを認証して得られた認証情報内にペアリング済みメッセージが表示されると、使用者が購入した該認証待ち物品が模倣品であることを表示する。
【００５０】
以上は実施態様の列挙であり、本発明になんらの制限を加えるものではない。本発明の精神と範囲を逸脱しない限り、その等効果修正又は変更は、全て本願特許請求の範囲に含まれるものとする。
【符号の説明】
【００５１】
１：認証システム
１１：認証待ち物品
１１１：包装ユニット
１１２：認証待ち物品の本体
１２：認証端末
１２１：データベース
１２１１：物品情報
１２１２：ペアリング済みメッセージ
１２２：認証情報
１３：識別コード
１４：遮蔽層
１４１：物品タグ
２：電子装置
Ｓ１１〜Ｓ１６：工程ステップ
【図１】
0005635152.tif 000002
【図２】
0005635152.tif 000003
【図３】
0005635152.tif 000004
【図４】
0005635152.tif 000005
【図５】
0005635152.tif 000006
【図６】
0005635152.tif 000007
【図７】
0005635152.tif 000008
【図８】
0005635152.tif 000009
【図９】
0005635152.tif 000010